(57)【特許請求の範囲】
【請求項１】
内底及び外底がテーパー状の底部中央の孔部に細針を挿入した収容器と収容器開口部を閉塞する蓋体と、含浸部を設置した受取器を少なくとも一本の支柱をもって、形成してなることを特徴とする滴下式芳香器。
【請求項２】
内底及び外底がテーパー状の底部中央の孔部に細針を挿入した任意の数の収容器と収容器開口部を閉塞する任意の数の蓋体と、含浸部を設置した少なくとも1ヶの受取器を少なくとも一本の支柱をもって、形成してなることを特徴とする滴下式芳香器。
【請求項３】
内底及び外底がテーパー状の底部中央の孔部に細針を挿入した収容器と収容器開口部を閉塞する蓋体と、この収容器を固定しうる少なくとも一本の支柱をもって、形成してなることを特徴とする滴下式芳香器。
【請求項４】
内底及び外底がテーパー状の底部中央の孔部に細針を挿入した任意の数の収容器と収容器開口部を閉塞する任意の数の蓋体とこれらの収容器を固定しうる少なくとも一本の支柱をもって、形成してなることを特徴とする滴下式芳香器。
【請求項５】
前記収容器に液状芳香物質を収容し、孔部より液状芳香物質を滴下してなることを特徴とする請求項１または請求項２または請求項３または請求項４記載の滴下式芳香器。
【発明の詳細な説明】
【０００１】
【産業上の利用分野】
本発明は、一定量の液状芳香物質を一定間隔で滴下することによって一定濃度の芳香を継時的に保ち、且つ容易に補充しうることによって繰り返し芳香を楽しむ手段を提供する。
【０００２】
【従来の技術】
従来の芳香器は容器内部に固形あるいは液状の芳香物質を収容し、空気流動、加熱揮発、自然揮発によるもので、例として、特開平１１―１９７２２６号や特開平１１―１９７２２４号、あるいは特開平１１―１５５９４２号に記載された「芳香器」があげられるが、特開平１１―１９７２２６号記載のものはファンによる空気流動によるものであり、特開平１１―１９７２２４号記載のものは発熱体により、加熱蒸散させるものであり、特開平１１―１５５９４２号は吸湿性紙により、吸い上げ蒸散させるものである。
【０００３】
【発明が解決しようとする課題】
しかしながら、これらの芳香器は、どのような液状芳香物質を収容したとしても、始動時は高濃度で強く香り、継時的に濃度低減するため、一定レベルの平均的な芳香が得られない。ただ収容した芳香物質が喪失されるまで、芳香強度を低減しつつ蒸散するのみである。
【０００４】
従って、本発明は、上記問題点に着目してなされたもので、収容器に収容した、任意の量の芳香物質を、一定間隔で一定量を滴下することによって、始動時より液状芳香物質が喪失するまでの間、一定のレベルの平均的な芳香を得、且つその補充も容易にすることによって繰り返し使用できるようにする手段を提供することを目的とする。
【０００５】
【課題を解決するための手段】
前記目的は、本発明の滴下式芳香器により達成される。即ち、請求項１記載の滴下式芳香器は、内底及び外底がテーパー状の底部中央の孔部に細針を挿入した収容器と収容器開口部を閉塞する蓋体と、含浸部を設置した受取器を少なくとも一本の支柱をもって、形成し収容器底部の孔部より、液状芳香物質を一定量、一定間隔で滴下してなることを特徴とする。
【０００６】
又、請求項２記載の滴下式芳香器は、内底及び外底がテーパー状の底部中央の孔部に細針を挿入した任意の数の収容器と収容器開口部を閉塞する任意の数の蓋体と、含浸部を設置した少なくとも１ヶの受取器を少なくとも一本の支柱をもって、形成してなることを特徴とする。
【０００７】
更に、請求項３記載の滴下式芳香器は蓋体が付属した、内底及び外底がテーパー状の底部中央の孔部に細針を挿入した収容器と収容器開口部を閉塞する蓋体を固定しうる少なくとも一本の支柱をもって形成してなることを特徴とし、請求項４記載の滴下式芳香器は、内底及び外底がテーパー状の底部中央の孔部に細針を挿入した任意の数の収容器と収容器開口部を閉塞する任意の数の蓋体を固定しうる少なくとも一本の支柱をもって、形成してなることを特徴とし、請求項５記載の滴下式芳香器は前記収容器に液状芳香物質を収容してなることを特徴とする。
【０００８】
【作用】
請求項１記載の滴下式芳香器では、内底及び外底がテーパー状の底部中央の孔部に細針を挿入した収容器と収容器開口部を閉塞する蓋体と、含浸部を設置した受取器を少なくとも一本の支柱をもって形成してなることを特徴とし、請求項２記載の滴下式芳香器では、内底及び外底がテーパー状の底部中央の孔部に細針を挿入した任意の数の収容器と収容器開口部を閉塞する任意の数の蓋体と、含浸部を設置した少なくとも１ヶの受取器を少なくとも一本の支柱をもって形成してなることを特徴とするため、収容器底部を除く外観形状に適当な意匠を施すことによって、室内のインテリア、浴場、自動車等の移動空間、街頭等、広範な用途に適用できる。
【０００９】
また、請求項３記載の滴下式芳香器では、内底及び外底がテーパー状の底部中央の孔部に細針を挿入した収容器と収容器開口部を閉塞する蓋体と、この収容器を固定しうる少なくとも一本の支柱をもって、形成してなることを特徴とし、請求項４記載の滴下式芳香器では、内底及び外底がテーパー状の底部中央の孔部に細針を挿入した任意の数の収容器と収容器開口部を閉塞する任意の数の蓋体と、この収容器を固定しうる少なくとも一本の支柱をもって、形成してなることを特徴とするため、収容器底部を除く外観形状に適当な意匠を施すことによって、特に受取器を必要としない浴槽周辺などの用途に適用できる。
【００１０】
これに加えて、請求項１または請求項２または請求項３または請求項４記載の滴下式芳香器は収容器部分に液状芳香物質を収容することにより、収容器底部中央の孔部に挿入された細針を伝わる液状芳香物質を一定量、一定間隔で滴下することができる。滴下する液状芳香物質は一定量、一定間隔であるため、当然一定量が一定間隔で揮発し芳香する。即ち、滴下式芳香器を設置した空間には、始動当初から収容器内部の液状芳香物質が喪失するまで、一定のレベルの平均的な芳香が得られる。
【００１１】
更に、請求項１及び請求項２記載の含浸部を設置した受取器を少なくとも一本の支柱をもって形成してなる滴下式芳香器では、受取器内に球面状に加工された綿、ウレタン、木、紙などの浸透性材による含浸部が設置されているため、滴下した液状芳香物質の揮発に係わる表面積が拡大され、一定量、一定間隔で滴下する液状芳香物質が極少量であっても、芳香は充分に促進される。即ち、初滴が蒸散喪失しても、一定間隔で滴下する次滴によって同様の芳香が得られるため、収容器内部の液状芳香物質が喪失するまで、継時的に一定レベルの平均的な芳香が得られる。また、収容する液状芳香物質の性状により初滴が蒸散喪失するまでに、次滴が滴下しても、受取器に綿、ウレタン、木、紙などの浸透性材による含浸部が設置されているため、含浸部に浸透し保持され、受取器内部に液状態で芳香物質は溜まらない。これによって、収容器内部の液状芳香物質が喪失した後も、早急に芳香が失われることはなく、補充についても、収容器を閉塞する蓋体の脱着によって容易に行える。
なお、本発明で用いる蓋体、収容器、受取器、支柱は、ステンレス等の金属、陶器、素焼き、ガラス、プラスチック類、又は木材からなる芳香器を指し、またインテリアに適した意匠を有するものを含み、それらを組み合わせたものでも構わない。底部及び孔部、含浸部の形成は掘削でもよいし、凸型による成形でもよい。
【００１２】
また、滴下式芳香器の収容器内部に収容される液状芳香物質は、合成化学物質でもよいが、精油を使用することで香りに対する安心感を与えることができ、所謂アロマセラピーまで応用の範囲を広げることができる。因みに精油としてはラベンダー、ローズマリー、ペパーミント、グレープフルーツ、オレンジ、ベルガモット、シダーウッド、サンダルウッド、パチュリー、マンダリン、レモングラス、ユーカリ、ヒノキ等が示される。
【００１３】
【実施例】
以下、本発明の滴下式芳香器を実施例に基づいて説明する。
まず、請求項１記載の滴下式芳香器に係わる実施例を図１に示す。この滴下式芳香器１０は内底１１及び外底１２がテーパー状の底部中央の孔部１３に細針１４を挿入した収容器１５と収容器１５の開口部を閉塞する蓋体１６と、綿、ウレタン、木、紙などの浸透性材による含浸部１７を設置した受取器１８と支柱１９及び２０とからなる。
【００１４】
収容器１５を閉塞する蓋体１６は脱着が容易であるため、液状芳香物質２１は簡便に補充できる。また、図８に示すように収容器１５の内底１１及び外底１２はテーパー状に成形されており、底部中央には孔部１３が空けられ、更に細針１４が挿入されている。このため、収容された液状芳香物質２１は滴下式芳香器１０の始動後、孔部１３の内径を通過し得る量の初滴２２が、細針１４を伝わり、受取器１８に設置された綿、ウレタン、木、紙などの浸透性材による球面状の含浸部１７の頂部に的確に滴下する。また、収容器１５の内底１１及び外底１２はテーパー状に成形されているため、収容器１５に収容された液状芳香物質２１は完全に滴下し、収容器１５内部に残留しない。更に、球面状の含浸部１７は受取した、孔部１３の内径を通過し得る量の液状芳香物質２１を球状面に沿って、その表面積を広げることにより揮発性を促進する。同時に含浸部１７は綿、ウレタン、木、紙などの浸透性材によるため、滴下した液状芳香物質２１を含浸して行き、初滴が揮発を終えるまでに、次滴が滴下しても、受取器１８内に液状芳香物質２１が液状のまま留まることはない。
【００１５】
このような滴下式芳香器１０は、孔部１３の内径を通過し得る一定量の液状芳香物質２１を一定の間隔で滴下する。従って、この孔部１３の内径を適当に調整することによって、滴下量及び滴下間隔を調節でき、それによって任意の濃度の芳香を一定のレベルで平均して得ることが可能となる。なお、滴下量及び滴下間隔の調節については、細針１４の外径によっても可能である。要するに孔部１３の内径と細針１４の両外径あるいはいずれかの外径を調節することによって任意の滴下量及び滴下間隔が実現できる。
【００１６】
また、このような滴下式芳香器１０は収容器１５の開口部を閉塞する蓋体１６が付帯しているため、収容器１５本体からの芳香は制限されており、収容器１５に収容された液状芳香物質２１が喪失されるまで、継時的に芳香する。なお、蓋体１６が付帯していることにより収容器１５から不意に収容された液状芳香物質２１が漏出することはなく、受取器１８に滴下した液状芳香物質２１も受取器１８に設置された綿、ウレタン、木、紙などの浸透性材による含浸部１７に含浸されるため、受取器１８よりも漏出しない。
【００１７】
すなわち、このような滴下式芳香器１０は一定レベルの平均した芳香を、漏出の恐れなく安全に提供するため、収容器底部を除く外観形状に適当な意匠を施すことによって、室内のインテリア、浴場、自動車等の移動空間、街頭等、広範な用途に適用できる。
【００１８】
更に滴下式芳香器１０の変更例を図２に示す。この滴下式芳香器３０は内底３１及び外底３２がテーパー状の底部中央の孔部３３に細針３４を挿入した収容器３５と収容器３５の開口部を閉塞する蓋体３６と、綿、ウレタン、木、紙などの浸透性材による含浸部３７を設置した受取器３８と支柱３９及び４０とからなる。この滴下式芳香器３０は更に、滴下式芳香器３０本体を収容する外装４２と外装４２本体を閉塞する蓋体４３を持つことにより、特に街頭、公園などの屋外での利用に適する滴下式芳香器３０となる。すなわち、滴下式芳香器３０は底部中央の孔部３３を通過し得る一定量の芳香物質を一定間隔で滴下し、一定レベルの平均した芳香を、漏出の恐れなく提供するため、外装４２及び蓋体４３に耐久性、強度を与えることにより屋外の公衆空間での利用にも耐え得る芳香器となる。
【００１９】
次に、請求項２記載の滴下式芳香器に係わる実施例を図３に示す。この滴下式芳香器５０は、内底５１、５２、５３及び外底５４、５５、５６がテーパー状の底部中央の孔部５７、５８、５９に細針６０、６１、６２を挿入した任意の数の収容器６３、６４、６５と収容器開口部を閉塞する任意の数の蓋体６６、６７、６８と、綿、ウレタン、木、紙などの浸透性材による含浸部６９を設置した受取器７０と支柱７１、７２及び収容器６３、６４、６５を接続する接続部７３もって形成してなる。
【００２０】
このような滴下式芳香器５０は、収容器６３、６４、６５が任意の数であるため、収容する液状芳香物質７４、７５、７６は任意の種類の異なる液状芳香物質を収容することができ、好みの芳香を任意の種類楽しむことが可能になる。例えば収容器６３にはカンキツ系の液状芳香物質７４を収容し、収容器６４には花の香りの液状芳香物７５を収容し、収容器６５には木の香りの液状芳香物質７６を収容するなどにより、各々の収容器に収容した単独の芳香とそれらが自然な状態で混合することによる複雑な芳香が得られる。無論、各々の液状芳香物質７４、７５、７６は孔部５７、５８、５９の内径を通過し得る量の液状芳香物質が、細針６０、６１、６２を伝わって含浸部６９を設置した受取器７０に的確に滴下し、一定レベルの平均した芳香を、漏出の恐れなく安全に得られることに変わりはない。
【００２１】
更に、滴下式芳香器５０の変更例を図４に示す。この滴下式芳香器８０は、内底８１、８２、８３及び外底８４、８５、８６がテーパー状の底部中央の孔部８７、８８、８９に細針９０、９１、９２を挿入した任意の数の収容器９３、９４、９５と収容器開口部を閉塞する任意の数の蓋体９６、９７、９８と、綿、ウレタン、木、紙などの浸透性材による含浸部９９を設置した受取器１００と支柱１０１、１０２をもって形成してなる。この場合、支柱１０１、１０２には挿入溝１０３、１０４があり、収容器９３、９４、９５には各々挿入柱１０５、１０６、１０７、１０８、１０９、１１０が付属しているため、収容器９３、９４、９５は支柱よりの脱着が容易であり、滴下式芳香器５０と同様に異なる液状芳香物質１１１、１１2、１１３を収容することができ、好みの芳香を任意の種類楽しむことが可能である。
【００２２】
更に、滴下式芳香器５０の変更例を図５に示す。この滴下式芳香器１２０は、内底１２１、１２２、１２３及び外底１２４、１２５、１２６がテーパー状の底部中央の孔部１２７、１２８、１２９に細針１３０、１３１、１３２を挿入した任意の数の収容器１３３、１３４、１３５と収容器開口部を閉塞する任意の数の蓋体１３６、１３７、１３８と、綿、ウレタン、木、紙などの浸透性材による含浸部１３９、１４０、１４１を設置した受取器１４２、１４３、１４４と支柱１４５及び収容器１３３、１３４、１３５を接続する接続部１４６もって形成してなる。この場合も、収容器１３３、１３４、１３５の開口部を閉塞する任意の数の蓋体１３６、１３７、１３８は脱着が容易であるとともに、滴下式芳香器５０と同様に異なる液状芳香物質１４６、１４７、１４８を収容することができ、好みの芳香を任意の種類、楽しむことが可能である。
【００２３】
次に、請求項３記載の滴下式芳香器に係わる実施例を図６に示す。この滴下式芳香器１５０は内底１５１及び外底１５２がテーパー状の底部中央の孔部１５３に細針１５４を挿入した収容器１５５と収容器開口部を閉塞する蓋体１５６と、これを設置する支柱１５７とからなる。このような滴下式芳香器１５０は収容された液状芳香物質１５８は滴下式芳香器１５０の始動後、孔部１５３の内径を通過し得る量の初滴を、細針１５４を伝わり、滴下する。例えば浴室で芳香を楽しみたい場合に、滴下式芳香器１５０を設置するのみで、容易に繰り返し芳香を楽しむことができる。
【００２４】
更に、請求項4記載の滴下式芳香器に係わる実施例を図７に示す。この滴下式芳香器１６０は、内底１６１、１６２、１６３及び外底１６４、１６５、１６６がテーパー状の底部中央の孔部１６７、１６８、１６９に細針１７０、１７１、１７２を挿入した任意の数の収容器１７３、１７４、１７５と収容器開口部を閉塞する任意の数の蓋体１７６、１７７、１７８と、収容器１７３、１７４、１７５を接続する支柱１７９もって形成してなる。このような滴下式芳香器１６０は、収容器１７３、１７４、１７５が任意の数であるため、収容する液状芳香物質１８０、１８１、１８２は任意の種類の異なる液状芳香物質を収容することができ、好みの芳香を任意の種類楽しむことが可能になる。図６に示した滴下式芳香器１５０と同様、例えば浴室で、任意の種類の芳香を楽しみたい場合などに適用できる。
【００２５】
【発明の効果】
以上説明したように、本発明の請求項１及び請求項２記載の滴下式芳香器は、いずれも内底及び外底がテーパー状の底部中央の孔部に細針を挿入した収容器と収容器開口部を閉塞する蓋体と、含浸部を設置した受取器を少なくとも一本の支柱をもって、形成してなることを特徴とするため、一定量の液状芳香物質を一定間隔で滴下することによって、一定レベルの平均した芳香を、漏出の恐れなく安全に提供することが可能で、収容器底部を除く外観形状に適当な意匠を施すことによって、室内のインテリア、浴場、自動車等の移動空間、街頭等、広範な用途に適用できる。
【００２６】
更に、請求項３及び請求項４記載の滴下式芳香器は、いずれも内底及び外底がテーパー状の底部中央の孔部に細針を挿入した収容器と収容器開口部を閉塞する蓋体と、この収容器を固定しうる少なくとも一本の支柱をもって、形成してなることを特徴とするため、一定量の液状芳香物質を一定間隔で滴下することによって、一定レベルの平均した芳香を提供することが可能で、浴場などの用途に適する。
【図面の簡単な説明】
【図１】一実施例に係わる滴下式芳香器を示す図である。
【図２】別実施例に係わる滴下式芳香器を示す図である。
【図３】別実施例に係わる滴下式芳香器を示す図である。
【図４】図３に示す滴下式芳香器の変更例を示す図である。
【図５】図３に示す滴下式芳香器の別実施例を示す図である。
【図６】別実施例に係わる滴下式芳香器を示す図である。
【図７】別実施例に係わる滴下式芳香器を示す図である。
【図８】実施例の滴下式芳香器の断面を示す図である。
【符号の説明】
１０、５０、１５０  滴下式芳香器
１１、５１、１５１  テーパー状内底
１２、５４、１５２  テーパー状外底
１３、５７、１５３  芳香穴
１４、６０、１５４  細針
１５、６３、１５５  蓋体
１６、６６、１５６  収容器
１７、７０          含浸部
１８、７１          受取器
１９、７２、１５７  支柱
２１、７５、１５８  液状芳香物質
２２                初滴
５４                接続部
【図１】
0003893556.tif 000002
【図２】
0003893556.tif 000003
【図３】
0003893556.tif 000004
【図４】
0003893556.tif 000005
【図５】
0003893556.tif 000006
【図６】
0003893556.tif 000007
【図７】
0003893556.tif 000008
【図８】
0003893556.tif 000009